(57)【特許請求の範囲】
【請求項１】
スピンドルユニット（６）に配された軸受で回転自在に支持されたスプール（２）を有する釣用リール（１）において、
スピンドルユニット（６）は、長いスピンドル（７）と、離間配置された少なくとも二つのころがり軸受（１８，１９）でスピンドル上に支持されたスリーブ状の軸受ハウジング（１３）と、シールとしての狭いスロットを介して周囲から軸受ハウジングの内部をシールするためにスピンドルに設けられた環状の端部ワッシャ（２３，２４）とを有する一体型ユニットとして形成されていて、軸受ハウジング（１３）の外周に半径方向に延びる一つの肩部（１５）が設けられていること、
スプール（２）はスリーブ状をなすと共にその両端に半径方向に突出するフランジ部（８，９）と少なくとも一つの内面突部（１４）を有し、軸受に関してスプールの軸方向位置を決定し、又一方向で軸方向荷重を受けるために上記内面突部が軸受ハウジングの上記肩部（１５）と係合していること、
軸受ハウジングの外面とスプールの内面との間に弾性部材（１２）が配されていて、ハウジングとスプールとの間で遊びなしの接触とし、軸受ハウジングの上記肩部に対してスピンドルユニット（６）に予圧を与えていること、
を特徴とする釣用リール。
【請求項２】
弾性部材（１２）は軸受ハウジングの外周面に形成された溝（２０）に配されたＯリングであり、該Ｏリングはスプール（２）の内周面に形成された溝（２１）へ入り込んでいることとする請求項１に記載の釣用リール。
【請求項３】
軸受ハウジング（１３）とスプール（２）は共にアルミニウム製であることとする請求項１又は請求項２に記載の釣用リール。
【請求項４】
スピンドル（７）は軸受ハウジング（１３）から軸方向で一端側に突出する突出部（１７ｂ）を有し、この突出部に駆動ギア（２２）が支持され、該駆動ギア（２２）は駆動部材（１０）を介してスプール（２）の半径方向に突出せる二つのフランジ部の一方のフランジ部（９）と接続されていることとする請求項１ないし請求項３のうちの一つに記載の釣用リール。
【請求項５】
スピンドルユニット（６）は、スピンドル（７）と、軸受（１８，１９）と、軸受ハウジング（１３）とを有する一体型ユニットであることとする請求項１ないし請求項４のうちの一つに記載の釣用リール。
【請求項６】
スピンドル（７）とスプール（２）との間が、スロット状のシールの外側で、端部シールカバー（２５）でシールされていることとする請求項１ないし請求項５のうちの一つに記載の釣用リール。
【発明の詳細な説明】
【０００１】
【発明の属する技術分野】
本発明は、二つのリール側部フレームの間に配設されるスピンドル上の軸受配置構造で回転自在に支持されるスプールを有する形式の釣用リールに関する。リールは、例えばマルティプライ型のベイトキャスターリールであっても良いが、本発明ではこれに限定されず、スピンドルに支持された回転自在なスプールを有する各種の釣用リールにも適用される。
【０００２】
【従来の技術】
釣用リールの特性を決定する一つの要素として、いわゆる自由スプール回転時間が挙げられる。これはスプールが規定の作用の状態になった後に回転し続ける時間を言う。自由スプール回転時間の算出は、スプールがほぼ水平に位置しているリールで保持されている状態で行われる。２０ｇの重りに取りつけられた５００ｍｍの糸がテープでスプールに取りつけられる。糸がスプール上に巻回され、次に重りが落とされる。重りが落とされた瞬間からスプールの回転が停止するまでの時間が測定される。
【０００３】
【発明が解決しようとする課題】
本発明の目的は、スピンドルユニットを改善することにより自由スプール回転時間を増長できる上記形式の釣用リールを提供することを目的とする。
【０００４】
【課題を解決するための手段】
本発明によれば、上記目的は、スピンドルユニットに配された軸受で回転自在に支持されたスプールを有する釣用リールにおいて、
スピンドルユニットは、長いスピンドルと、離間配置された少なくとも二つのころがり軸受でスピンドル上に支持されたスリーブ状の軸受ハウジングと、シールとしての狭いスロットを介して周囲から軸受ハウジングの内部をシールするためにスピンドルに設けられた環状の端部ワッシャとを有する一体型ユニットとして形成されていて、軸受ハウジングの外周に半径方向に延びる一つの肩部が設けられていること、
スプールはスリーブ状をなすと共にその両端に半径方向に突出するフランジ部と少なくとも一つの内面突部を有し、軸受に関してスプールの軸方向位置を決定し、又一方向で軸方向荷重を受けるために上記内面突部が軸受ハウジングの上記肩部と係合していること、
軸受ハウジングの外面とスプールの内面との間に弾性部材が配されていて、ハウジングとスプールとの間で遊びなしの接触とし、軸受ハウジングの上記肩部に対してスピンドルユニットに予圧を与えていること、
により達成される。
【０００５】
【発明の実施の形態】
以下、添付図面にもとづき、本発明の実施の形態を説明する。
【０００６】
図１は、ベイトキャスター型の釣用リールの斜視図を示しており、該釣用リール１は、該リールの側部フレーム３，４で支持されているスピンドルユニットに回転自在に配設されたスプール２を有し、一端にてハンドクランク５と接続されている。
【０００７】
図２は図１に示された釣用リール１の内部を示す断面図である。スプール２は、上述のごとく、側部フレーム３，４内でスピンドル７で支持されたスピンドルユニット６によって支持されている。リールは、又、ハンドクランクをスピンドルユニットに接続させるためのトランスミッションのような従来型の複数の機構、スプール接続解除のための早送り出し手段、ブレーキ手段、糸分配手段等を有しているが、これらは本発明の部分でないので、以降詳細説明を省略する。又、これらは他の形によっても置き換えられる。
【０００８】
図３は、本発明の釣用リールに用いられるスピンドルユニット６のスピンドル７に接続されるスプール２を示す斜視図である。
【０００９】
スプール２とスピンドル７は、さらに、断面図として図４にも示されている。図示のごとく、スプール２は、ほぼスリーブ状をなし、スプール２の軸方向に対向して両端に設けられ半径方向に延びるフランジ部８，９の形をなす側部フレームを有していて、スプールをクランクハンドル（図５）に接続するための駆動ディスク１０が上記一方の側部フレーム９の軸方向外側に取りつけられる。駆動ディスク１０は好ましくは鋼製ワッシャである。本実施形態のスプール２の外周面には球面の一部をなす凹部１１が形成されていてスプールの重量を軽減している。スピンドルユニット６は、図４に示されていない軸受によってスピンドル７上に支持された管状もしくはスリーブ状の軸受ハウジング１３を有している。軸受ハウジング１３はその外周面上に半径方向に延びる肩部１４を有し、該肩部１４はスプールの内周面の内突部１５と当接係合するようになっており、本実施形態ではこの突部１５はラジアル肩部として形成されている。軸受ハウジング１３の外周面とスプール２の内周面との間には、Ｏリングとして示されている弾性部材１２が圧縮された状態で配されており、好ましくは、スプール２の溝と軸受ハウジング１３の溝に位置するように配置されている。スプール２は、さらに、軸方向一端に周溝が形成され、該周溝にはクラッチワッシャを保持するためのスナップイン型のロックワイヤの形態のロック部材１６が収められている。
【００１０】
図５には、本発明による、スプール２、スピンドルユニット６そしてそのスピンドル７の若干変形された例が拡大して示されている。ここで、軸受ハウジング１３は概要断面図として示されていて、図示のごとく、軸受ハウジング１３は２つの軸受１８，１９によって回転自在に支持されていて、該２つの軸受は上記軸受ハウジング１３内で互いに軸方向に最大限に離れて位置づけられている。こうすることにより、軸受ハウジングとこれに組み込まれたスプール２は円滑そして振動のない作動を行う。
【００１１】
軸受ハウジング１３の外側（外面）肩部１４とスプールの内側（内面）肩部又は既述の突部１５は、スプールが軸受ハウジングに組まれたときに、互いに当接係合するようになる。その結果、スプールを２つの軸受との関係においてほぼ対称に位置することが確保でき、こうすることによっても、円滑かつトラブルのない作動を得る。スプールと軸受ハウジングの互いに対向する面同士の間には、スプールが組み込まれたとき、弾性部材が圧縮された状態で配設されていて、スプール２が軸受ハウジング上で軸方向に移動することを阻止する力を発生する。この弾性部材は好ましくはＯリングとして形成されていて、軸受ハウジングの外周面の溝２０内に応力をもって嵌め込まれており、該Ｏリングが軸受ハウジングの面から突出するようになっていて、好ましくは、該Ｏリングはスプールの内周面の対応溝２１に収められていて、該Ｏリングが組立位置で圧縮されて、スプールと軸受ハウジングとの間の相対軸方向移動を阻止するようになっている。
【００１２】
スピンドル７は一端部が軸受ハウジングから外方へ突出する短いジャーナル軸７ａとなっていて、このジャーナル軸７ａはリールの側部フレーム（図２の符号３）内で支持される。スピンドル７の他端部は軸受ハウジングから突出する突出部７ｂとなっていて、該スピンドル部７ｂは好ましくは黄銅製の駆動手段２２を支持していて、該駆動手段には既述の駆動ディスク１０が接続される。スピンドル７は、さらに、軸受ハウジング１３の各側面に位置する端部ワッシャ２３，２４を有していて、該端部ワッシャは、スプールの内周面そして軸受ハウジング１３の側部フレームと協働して、外部から軸受ハウジング内への異物の進入を防止するラビリンスシールとしての狭いスロットを形成し、さらには、部材の回転時に軸受ハウジングから外の方に向かうポンプ効果をも確保している。端部ワッシャ２３の外側には、スピンドルのジャーナル軸７ａの位置に、好ましくはプラスチック製のシールカバー２５が設けられている。
【００１３】
かくして、スピンドルユニット６は、スピンドル７と、ころがり軸受１８，１９を伴う軸受ハウジング１３とを一体型ユニットとして構成され、該ユニットは釣用リールが製造される工場で組込みを直ぐに行える閉じた形態のユニットとして作られる。こうすることによって、このスピンドルユニットは、ナット２６や既述のスナップイン型のロックワイヤの形態のロック部材１６によって、正規位置にロックされる。したがって、保守や交換の際には、上記ナットを緩めそしてロック部材１６を外すだけで、スピンドルユニットを軸方向に簡単に取り出すことができる。
【００１４】
本発明は、図示された形態に限定されず、種々変更可能である。例えば、図示のベイトキャスタ形式だけでなく他の形式の釣用リールにも適用可能である。
【００１５】
【発明の効果】
本発明は、以上のように、弾性部材によって軸受に予圧を与え、又、ハウジング内の軸受をスロット状のシールにより保護することとしたので、長時間にわたり、スピンドルは低摩擦で回転できて自由スプール回転時間を増長し、回転特性の改善が図られる。
【図面の簡単な説明】
【図１】本発明によるマルチプライベイトキャスタ型の釣用リールの斜視図である。
【図２】図１の釣用リールの断面図である。
【図３】図１と図２に示される釣用リールの一部をなすスピンドルユニットをもつスプールの斜視図である。
【図４】図３に示されるスピンドルユニットをもつスプールの断面図である。
【図５】図４に対応して、若干変形を加えたスピンドルユニットをもつスプールの断面図である。
【符号の説明】
１  リール
２  スプール
６  スピンドルユニット
７  スピンドル
７ｂ  突出部
８，９  フランジ部
１０  駆動ディスク（駆動部材）
１２  弾性部材
１３  軸受ハウジング
１４  肩部（外突部）
１５  内突部（内肩部）
１８，１９  軸受
２０  溝
２１  溝
２２  駆動ギア
２３，２４  端部ワッシャ
２５  シールカバー
【図１】
0003568161.tif 000002
【図２】
0003568161.tif 000003
【図３】
0003568161.tif 000004
【図４】
0003568161.tif 000005
【図５】
0003568161.tif 000006